(57)【特許請求の範囲】
【請求項１】
中心導体（５１）と、外部導体（５２）とを有する同軸ケーブルのコネクタ（５０）を接続可能な測定器（１００）の測定器保護装置（１）であって、
前記測定器のグラウンドと電気的に接続されたゲート支持部（１０）と、
前記ゲート支持部と電気的に接続され、前記測定器に設けられたコネクタ（６０）への前記同軸ケーブルのコネクタの進行を妨げる位置に設けられ、前記同軸ケーブルのコネクタを当接させる圧力により回動するゲート部（１１）とを備え、
前記ゲート部は、
前記ゲート部と電気的に接続され、前記中心導体を接触させるための中心導体接触部（１２）と、
前記ゲート部と電気的に接続され、前記外部導体を接触させるための外部導体接触部（１３）とを備え、
前記中心導体接触部は、前記同軸ケーブルのコネクタを前記ゲート部に当接させるときに、前記外部導体と前記外部導体接触部との接触よりも先に前記中心導体が前記中心導体接触部と接触するように形成されているとともに、前記中心導体が接触する圧力により前記同軸ケーブルのコネクタの進行方向に押下されるように形成され、
前記ゲート部は、前記中心導体接触部が押下された後に、前記中心導体と前記中心導体接触部との接触を維持しながら前記外部導体と前記外部導体接触部とが接触するように形成され、
前記同軸ケーブルのコネクタの進行に伴う圧力によって前記ゲート部を回動させることにより、前記同軸ケーブルのコネクタを前記測定器に設けられたコネクタへの接続を可能とする測定器保護装置。
【請求項２】
前記中心導体接触部の頂部に前記中心導体の直径より大きい窪み部（１２ａ）を設けたことを特徴とする請求項１に記載の測定器保護装置。
【請求項３】
前記ゲート部内に格納された前記中心導体接触部の部材が前記同軸ケーブルのコネクタの進行方向に対して前後に摺動可能となるように形成された中心導体接触部可動機構（１２ｂ）と、
前記中心導体接触部と前記ゲート部との間に設けられ、前記中心導体接触部の部材に対して前記同軸ケーブルのコネクタの進行に反発する方向に圧力をかける中心導体接触部ばね（１２ｃ）とにより、前記中心導体接触部は前記中心導体が接触する圧力により前記同軸ケーブルのコネクタの進行方向に押下されることを特徴とする請求項１または２のいずれか１項に記載の測定器保護装置。
【請求項４】
中心導体（５１）と、外部導体（５２）とを有する同軸ケーブルのコネクタ（５０）を接続可能な測定器（１００）の測定器保護方法であって、
前記測定器のグラウンドと電気的に接続されたゲート支持部（１０）と、
前記ゲート支持部と電気的に接続され、前記測定器に設けられたコネクタ（６０）への前記同軸ケーブルのコネクタの進行を妨げる位置に設けられ、前記同軸ケーブルのコネクタを当接させる圧力により回動するゲート部（１１）とを備え、
前記ゲート部は、
前記ゲート部と電気的に接続され、前記中心導体を接触させるための中心導体接触部（１２）と、
前記ゲート部と電気的に接続され、前記外部導体を接触させるための外部導体接触部（１３）とを備え、
前記同軸ケーブルのコネクタを前記ゲート部に当接させるときに、前記外部導体と前記外部導体接触部との接触よりも先に前記中心導体が前記中心導体接触部と接触する段階（Ｓ２０１）と、
前記中心導体接触部が、前記中心導体が接触する圧力により前記同軸ケーブルのコネクタの進行方向に押下される段階（Ｓ２０３）と、
前記中心導体と前記中心導体接触部との接触を維持しながら前記外部導体と前記外部導体接触部とが接触する段階（Ｓ２０４）と、
前記同軸ケーブルのコネクタの進行に伴う圧力によって前記ゲート部を回動させることにより、前記同軸ケーブルのコネクタを前記測定器に設けられたコネクタへの接続を可能とする段階（Ｓ２０５）とを含む測定器保護方法。
【請求項５】
前記中心導体接触部の頂部には、前記中心導体の直径より大きい窪み部（１２ａ）が設けられており、
前記中心導体が前記中心導体接触部と接触した後に、前記中心導体の先端が前記窪み部に嵌合し、前記中心導体と前記中心導体接触部との接触を維持する段階（Ｓ２０２）とを含むことを特徴とする請求項４に記載の測定器保護方法。
【発明の詳細な説明】
【技術分野】
【０００１】
本発明は、測定器をＥＳＤ（Ｅｌｅｃｔｒｏｓｔａｔｉｃ  Ｄｉｓｃｈａｒｇｅ）やＡＣリークから保護する測定器保護装置および測定器保護方法に関するものである。
【背景技術】
【０００２】
本発明における測定器は、被測定物から出力された電気信号を入力してその特性を評価する装置である。たとえば、所定のパルスパターンを有するディジタル信号を被測定物に入力し、被測定物を介して出力されたディジタル信号の誤り率を測定する誤り率測定装置や、被測定物から出力された電気信号の時間軸波形を表示するオシロスコープ等が挙げられる。また、本発明における測定器は、被測定物に対して所定のパルスパターンを有するディジタル信号を発生するパルスパターン発生装置や、被測定物に対して所望の高周波信号を送信する信号発生装置が挙げられる。
【０００３】
ところで、被測定物と測定器を接続する際に用いられる同軸ケーブルの中心導体と外部導体の間には静電気が帯電することがあり、その静電気の高電圧により測定器の入出力部に用いられた半導体素子が破壊されて、測定器が使用不可能になる問題があった。
【０００４】
測定器の入出力部は、たとえば数百ＭＨｚから数十ＧＨｚといった高い周波数を扱う箇所であり、また測定器によっては振幅特性だけではなく、位相特性や群遅延特性も重視される。このため、たとえばダイオードで構成された保護回路による半導体素子の保護を行うと、そのダイオードの非線形性や素子内部の寄生容量の存在により測定器の特性悪化を招くことがあるので、保護回路の採用は容易ではない。したがって、測定器の入出力部は静電気に対して無防備とならざるを得ない場合が多い。そこで、入出力部に同軸ケーブルが接続される前に静電気放電から保護する装置として、たとえば下記特許文献１に開示されるような静電気放電保護装置が公知である。
【先行技術文献】
【特許文献】
【０００５】
【特許文献１】特開２００１−２３７９２号公報
【発明の概要】
【発明が解決しようとする課題】
【０００６】
ところで、特許文献１の静電気放電保護装置においては、はじめに同軸ケーブルの中心導体が隆起した目標領域に接触し、同軸ケーブルをさらに前進させると一旦は中心導体が目標領域から離れ、次に外部導体が目標領域に接触するようになっている。したがって、はじめに同軸ケーブルの中心導体が接地されるので中心導体に帯電した静電気は放電可能である。
【０００７】
しかしながら、この特許文献１の構成では、同軸ケーブルを前進させる過程で、はじめに同軸ケーブルの中心導体が目標領域により接地された後、一旦は中心導体が目標領域から離れ、次に外部導体が目標領域に接触するようになっている。すなわち、特許文献１の構成では外部導体が目標領域に接触する前に、中心導体が目標領域との接触状態から離れてしまい、中心導体と外部導体の間に帯電した静電気を完全に放電させることができない問題があり、測定器の入出力部に用いられた半導体素子が破壊されて、測定器が使用不可能になるおそれがあり、解決が望まれていた。
【０００８】
そこで、本発明は上記問題点に鑑みてなされたものであり、中心導体と外部導体の間に帯電した静電気を完全に放電させることができる測定器保護装置および測定器保護方法を提供することを目的とするものである。
【課題を解決するための手段】
【０００９】
上記した目的を達成するために、請求項１記載の測定器保護装置は、中心導体（５１）と、外部導体（５２）とを有する同軸ケーブルのコネクタ（５０）を接続可能な測定器（１００）の測定器保護装置（１）であって、
前記測定器のグラウンドと電気的に接続されたゲート支持部（１０）と、
前記ゲート支持部と電気的に接続され、前記測定器に設けられたコネクタ（６０）への前記同軸ケーブルのコネクタの進行を妨げる位置に設けられ、前記同軸ケーブルのコネクタを当接させる圧力により回動するゲート部（１１）とを備え、
前記ゲート部は、
前記ゲート部と電気的に接続され、前記中心導体を接触させるための中心導体接触部（１２）と、
前記ゲート部と電気的に接続され、前記外部導体を接触させるための外部導体接触部（１３）とを備え、
前記中心導体接触部は、前記同軸ケーブルのコネクタを前記ゲート部に当接させるときに、前記外部導体と前記外部導体接触部との接触よりも先に前記中心導体が前記中心導体接触部と接触するように形成されているとともに、前記中心導体が接触する圧力により前記同軸ケーブルのコネクタの進行方向に押下されるように形成され、
前記ゲート部は、前記中心導体接触部が押下された後に、前記中心導体と前記中心導体接触部との接触を維持しながら前記外部導体と前記外部導体接触部とが接触するように形成され、
前記同軸ケーブルのコネクタの進行に伴う圧力によって前記ゲート部を回動させることにより、前記同軸ケーブルのコネクタを前記測定器に設けられたコネクタへの接続を可能とすることを特徴とする。
【００１０】
請求項２記載の測定器保護装置は、請求項１の測定器保護装置（１）において、前記中心導体接触部の頂部に前記中心導体の直径より大きい窪み部（１２ａ）を設けたことを特徴とする。
【００１１】
請求項３記載の測定器保護装置は、請求項１または２のいずれか１項に記載の測定器保護装置（１）において、
前記ゲート部内に格納された前記中心導体接触部の部材が前記同軸ケーブルのコネクタの進行方向に対して前後に摺動可能となるように形成された中心導体接触部可動機構（１２ｂ）と、
前記中心導体接触部と前記ゲート部との間に設けられ、前記中心導体接触部の部材に対して前記同軸ケーブルのコネクタの進行に反発する方向に圧力をかける中心導体接触部ばね（１２ｃ）とにより、前記中心導体接触部は前記中心導体が接触する圧力により前記同軸ケーブルのコネクタの進行方向に押下されることを特徴とする。
【００１２】
上記した目的を達成するために、請求項４記載の測定器保護方法は、中心導体（５１）と、外部導体（５２）とを有する同軸ケーブルのコネクタ（５０）を接続可能な測定器（１００）の測定器保護方法であって、
前記測定器のグラウンドと電気的に接続されたゲート支持部（１０）と、
前記ゲート支持部と電気的に接続され、前記測定器に設けられたコネクタ（６０）への前記同軸ケーブルのコネクタの進行を妨げる位置に設けられ、前記同軸ケーブルのコネクタを当接させる圧力により回動するゲート部（１１）とを備え、
前記ゲート部は、
前記ゲート部と電気的に接続され、前記中心導体を接触させるための中心導体接触部（１２）と、
前記ゲート部と電気的に接続され、前記外部導体を接触させるための外部導体接触部（１３）とを備え、
前記同軸ケーブルのコネクタを前記ゲート部に当接させるときに、前記外部導体と前記外部導体接触部との接触よりも先に前記中心導体が前記中心導体接触部と接触する段階（Ｓ２０１）と、
前記中心導体接触部が、前記中心導体が接触する圧力により前記同軸ケーブルのコネクタの進行方向に押下される段階（Ｓ２０３）と、
前記中心導体と前記中心導体接触部との接触を維持しながら前記外部導体と前記外部導体接触部とが接触する段階（Ｓ２０４）と、
前記同軸ケーブルのコネクタの進行に伴う圧力によって前記ゲート部を回動させることにより、前記同軸ケーブルのコネクタを前記測定器に設けられたコネクタへの接続を可能とする段階（Ｓ２０５）とを含むことを特徴とする。
【００１３】
請求項５記載の測定器保護方法は、請求項４に記載の測定器保護方法において、前記中心導体接触部の頂部には、前記中心導体の直径より大きい窪み部（１２ａ）が設けられており、
前記中心導体が前記中心導体接触部と接触した後に、前記中心導体の先端が前記窪み部に嵌合し、前記中心導体と前記中心導体接触部との接触を維持する段階（Ｓ２０２）とを含むことを特徴とする。
【発明の効果】
【００１４】
本発明の測定器保護装置によれば、中心導体５１と外部導体５２の間は電気的に短絡されるとともに、外部導体５２は測定器１００のグラウンドに接地され、放電が行われるようにしたので、中心導体と外部導体の間に帯電した静電気を完全に放電させることができる。このため、測定器の入出力部に用いられた半導体素子が破壊されて、測定器が使用不可能になるおそれを完全に解消することが可能となり、高額な修理費用や測定器の使用不可能な期間を無くすことができ、ユーザの負担を軽減させることが可能となる。
【００１５】
また、本発明の測定器保護装置によれば、中心導体接触部の頂部に中心導体の直径より大きい窪み部を設けたので、中心導体の先端が窪み部に嵌合することで中心導体接触部から脱落せず、同軸ケーブルのコネクタの進行によって中心導体接触部が押下された後に、中心導体と中心導体接触部との接触を完全に維持しながら外部導体と外部導体接触部とを接触させることが可能となる。これにより、測定器の入出力部に用いられた半導体素子が破壊されて、測定器が使用不可能になるおそれを完全に解消することが可能となる。
【図面の簡単な説明】
【００１６】
【図１】本発明に係る測定器保護装置の装置構成を示す概略図である。
【図２】本発明に係る測定器保護装置の動作の一例を示す概略図である。
【図３】本発明に係る測定器保護装置の動作の一例を示す概略図である。
【図４】本発明に係る測定器保護装置の動作の一例を示す概略図である。
【図５】同装置の動作の一例を示すフローチャートである。
【発明を実施するための形態】
【００１７】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例および運用技術等はすべて本発明の範疇に含まれる。
【００１８】
まず、本発明に係る測定器保護装置の装置構成について、図１を参照しながら説明する。本例の測定器保護装置１は、測定器１００の一例として、所定のパルスパターンを有するディジタル信号を被測定物に入力し、被測定物を介して出力されたディジタル信号の誤り率を測定する誤り率測定装置や、被測定物から出力された電気信号の時間軸波形を表示するオシロスコープ等の入力端子近傍に設けられている。また、本例の測定器保護装置１は、たとえば、被測定物に対して所定のパルスパターンを有するディジタル信号を発生するパルスパターン発生装置や、被測定物に対して所望の高周波信号を送信する信号発生装置等の出力端子近傍に設けられている。
【００１９】
図１に示すように、本例の測定器保護装置１は、ゲート支持部１０、ゲート部１１、ゲート部可動機構１１ａ、ストッパ手段１１ｂ、ゲート部ばね１１ｃ、中心導体接触部１２、窪み部１２ａ、中心導体接触部可動機構１２ｂ、中心導体接触部ばね１２ｃ、外部導体接触部１３を備えている。また、同軸ケーブル側のコネクタ５０は、中心導体５１、外部導体５２により構成され、測定器１００には測定器側のコネクタ６０が備えられている。
【００２０】
ゲート支持部１０は、測定器１００のグラウンドと電気的に接続されている。具体的には、ゲート支持部１０は導電性の素材や金属を加工した板や棒などを加工して製造され、ゲート支持部１０を測定器１００本体のシャーシにねじ止めなどをして電気的に測定器１００のグラウンドと同電位となるように構成される。測定器１００からゲート部１１までのゲート支持部１０の長さは、たとえば数センチメートルから１０センチメートル程度が好適である。これは、同軸ケーブルのコネクタ５０を測定器１００に接続するときにコネクタ５０の外部導体５２を構成する図示しないねじ部を着脱するための作業性を考慮した長さである。
【００２１】
ゲート部１１は、ゲート支持部１０と電気的に接続され、同軸ケーブルのコネクタ５０を当接させる圧力により回動するように構成されている。具体的には、ゲート部１１は導電性の素材や金属を加工した板や棒などを加工して製造されている。また、ゲート支持部１０に対して回動させるために、ゲート部可動機構１１ａを備えており、たとえば蝶つがいの機構を用いて同軸ケーブルのコネクタ５０の前進または後退に合わせてゲート部１１が測定器１００に対して前後方向に動くように構成されている。
【００２２】
ゲート部１１は、同軸ケーブルのコネクタ５０を当接させやすいよう、大地に対して略垂直よりも外側には動かないようにストッパ手段１１ｂによって前後方向の動きに制限を持たせている。また、ゲート部１１は、たとえばゲート部ばね１１ｃなどの手段により所望の力で測定器１００から見て外側に常に圧力がかけられる構成とされている。これらの構成により、ゲート部１１は、同軸ケーブルのコネクタ５０が当接させられる前には、大地に対して略垂直の位置にゲート部ばね１１ｃの力で保持された状態となっている。
【００２３】
中心導体接触部１２は、ゲート部１１と電気的に接続されている。中心導体接触部１２は、同軸ケーブルのコネクタ５０をゲート部１１に当接させるときに、外部導体５２と外部導体接触部１３との接触よりも先に中心導体１２が中心導体接触部１３と接触するよう、ゲート部１１の表面から突起状に突き出す形状に形成されている。この突起の直径は、外部導体５２の内径よりも小さくし、形状はたとえば円柱形状や円錐形状としてもよい。さらに、中心導体接触部可動機構１２ｂと中心導体接触部ばね１２ｃとにより、中心導体接触部１２は中心導体５１が接触する圧力により同軸ケーブルのコネクタ５０の進行方向に押下されるように形成され、ゲート部１１は、中心導体接触部１２が押下された後に、中心導体５１と中心導体接触部１２との接触を維持しながら外部導体５２と外部導体接触部１３とが接触するように形成されている。具体的には、中心導体接触部可動機構１２ｂは、たとえばゲート部１１を中心導体接触部１２の部材が前後に摺動可能となるようにくり抜きにより形成されている。かつ、中心導体接触部１２とゲート部１１との間に設けられた、たとえば中心導体接触部ばね１２ｃなどの手段により所望の力で中心導体接触部１２の部材はゲート部１１から見て外側に常に圧力をかける構成とされている。すなわち、中心導体接触部ばね１２ｃは、中心導体接触部１２の部材に対して同軸ケーブルのコネクタ５０の進行に反発する方向に圧力をかけていることになる。これらの構成により、中心導体接触部１２の部材が押下されたときに中心導体接触部１２が中心導体５１と接触する圧力により同軸ケーブルのコネクタ５０の進行方向に摺動する構造となっている。
【００２４】
さらに、中心導体接触部１２は、同軸ケーブルのコネクタ５０の中心導体５１が接触した後、中心導体５１の先端が窪み部１２ａに嵌合することで中心導体接触部１２から脱落せず、同軸ケーブルのコネクタ５０の進行によって中心導体接触部１２が押下された後に、中心導体５１と中心導体接触部１２との接触を完全に維持できるよう、中心導体５１の先端部の直径に合わせた窪み部１２ａを頂部に設けた突起状の形状としている。また、窪み部１２ａの形状は、同軸ケーブルのコネクタ５０の中心導体５１を接触させたときに、中心導体５１の先端が窪み部１２ａに嵌合しやすく、かつ、ゲート部１１が回動し、同軸ケーブルのコネクタ５０の進行を妨げなくなったときに円滑に中心導体５１の先端が窪み部１２ａから抜け出るよう、凹部の奥が狭い円錐形状の窪み形状としてもよい。なお、中心導体接触部可動機構１２ｂを摺動させるために必要な圧力よりも、ゲート部１１を回動させるために必要な圧力が大きくなるように、中心導体接触部ばね１２ｃとゲート部ばね１１ｃのばねのそれぞれの反発力は予め定められている。
【００２５】
［測定器保護装置の動作］
次に、上述した測定器保護装置１における動作の一例について図２から図４を参照しながら説明する。
【００２６】
ユーザは、測定器１００に同軸ケーブルのコネクタ５０を接続するために、図２に示すように同軸ケーブルのコネクタ５０をゲート部１１に接近させる。はじめに中心導体５１の先端が窪み部１２ａに嵌合し、中心導体５１はゲート部１１を介してゲート支持部１０を経由し、測定器１００のグラウンドに電気的に接続される。すなわち、中心導体接触部１２は、同軸ケーブルのコネクタ５０をゲート部１１に当接させるときに、外部導体５２と外部導体接触部１３との接触よりも先に中心導体５１が中心導体接触部１２と接触することとなる。この動作により、中心導体５１と外部導体５２の間に帯電した静電気がある場合には、測定器１００のグラウンドに接地され、放電が行われる。
【００２７】
次に、図３に示すようにユーザが同軸ケーブルのコネクタ５０を測定器１００へさらに接近させると、中心導体接触部可動機構１２ｂと中心導体接触部ばね１２ｃとが動作する。すなわち、中心導体接触部１２とゲート部１１との間に設けられた中心導体接触部ばね１２ｃなどの反発力よりも、中心導体接触部１２の部材が押下された圧力が大きくなると中心導体接触部１２が中心導体５１と接触する圧力により同軸ケーブルのコネクタ５０の進行方向に摺動する。
【００２８】
中心導体接触部１２が中心導体５１と接触する圧力により同軸ケーブルのコネクタ５０の進行方向に摺動することにより、外部導体５２はゲート部１１に設けられた外部導体接触部１３と電気的に接続される。この動作により、中心導体５１と外部導体５２の間は電気的に短絡されるとともに、外部導体５２は測定器１００のグラウンドに接地され、放電が行われる。ここで、外部導体５２が測定器１００のグラウンドに接地されるので、測定器１００のシャーシと、図示しない被測定物のシャーシとの間でグラウンド接続がされていなかった場合に生じるＡＣリークがあった場合でも、測定器１００と、被測定物とを同電位とすることができる。なお、このＡＣリークの場合は中心導体５１と、中心導体接触部１２との接触ならびに外部導体５２と、外部導体接触部１３との接触が同時に接触するタイミングとなるように構成するとさらに確実な動作を実現できる。
【００２９】
次に、図４に示すようにユーザが同軸ケーブルのコネクタ５０を測定器１００へさらに接近させると、同軸ケーブルのコネクタ５０の進行に伴う圧力によってゲート部１１を回動させ、同軸ケーブルのコネクタ５０の進行を妨げないようになり、かつ、中心導体５１の先端が窪み部１２ａから抜け出ることにより、同軸ケーブルのコネクタ５０を測定器１００に設けられたコネクタ６０への接続を可能としている。すなわち、ゲート支持部１０とゲート部１１との間に設けられたゲート部ばね１１ｃなどの反発力よりも、同軸ケーブルのコネクタ５０によってゲート部１１が押下された圧力が大きくなるとゲート部１１が回動し、同軸ケーブルのコネクタ５０の進行を妨げないようになり、同軸ケーブルのコネクタ５０の外部導体５２を構成する図示しないねじ部を、測定器１００に設けられたコネクタ６０に接続することが可能となる。
【００３０】
また、上述した測定器保護装置１における動作の一例について図５に示すフローチャートを参照しながら説明する。なお、装置構成は前述の図１から図４で説明した構成と同様であるため、記載を省略する。
【００３１】
ユーザが同軸ケーブルのコネクタ５０をゲート部１１に接近させ、同軸ケーブルのコネクタ５０をゲート部１１に当接させるときに、外部導体５２と外部導体接触部１３との接触よりも先に中心導体５１が中心導体接触部１２と接触する（Ｓ２０１）。
【００３２】
中心導体接触部１２の頂部には、中心導体５１の直径より大きい窪み部１２ａが設けられており、中心導体５１が中心導体接触部１２と接触した後に、中心導体５１の先端が窪み部１２ａに嵌合し、中心導体５１と中心導体接触部１２との接触を維持する（Ｓ２０２）。
【００３３】
ユーザが同軸ケーブルのコネクタ５０を測定器１００へさらに接近させると、中心導体接触部１２が、中心導体５１が接触する圧力により同軸ケーブルのコネクタ５０の進行方向に押下される（Ｓ２０３）。
【００３４】
ユーザが同軸ケーブルのコネクタ５０を測定器１００へさらに接近させると、中心導体５１と中心導体接触部１２との接触を維持しながら外部導体５２と外部導体接触部１３が接触する（Ｓ２０４）。
【００３５】
ユーザが同軸ケーブルのコネクタ５０を測定器１００へさらに接近させると、同軸ケーブルのコネクタ５０の進行に伴う圧力によってゲート部１１を回動させることにより、同軸ケーブルのコネクタ５０を測定器１００に設けられたコネクタ６０への接続を可能とする（Ｓ２０５）。
【００３６】
このように、本発明の測定器保護装置によれば、中心導体５１と外部導体５２の間は電気的に短絡されるとともに、外部導体５２は測定器１００のグラウンドに接地され、放電が行われるようにしたので、中心導体と外部導体の間に帯電した静電気を完全に放電させることができる。このため、測定器の入出力部に用いられた半導体素子が破壊されて、測定器が使用不可能になるおそれを完全に解消することが可能となり、高額な修理費用や測定器の使用不可能な期間を無くすことができ、ユーザの負担を軽減させることが可能となる。
【００３７】
さらに、本発明の測定器保護装置によれば、中心導体接触部１２の頂部に中心導体５１の直径より大きい窪み部１２ａを設けたので、中心導体５１の先端が窪み部１２ａに嵌合することで中心導体接触部１２から脱落せず、同軸ケーブルのコネクタ５０の進行によって中心導体接触部１２が押下された後に、中心導体５１と中心導体接触部１２との接触を完全に維持しながら外部導体５２と外部導体接触部１３とを接触させることが可能となる。これにより、測定器の入出力部に用いられた半導体素子が破壊されて、測定器が使用不可能になるおそれを完全に解消することが可能となる。
【符号の説明】
【００３８】
１…測定器保護装置
１０…ゲート支持部
１１…ゲート部
１１ａ…ゲート部可動機構
１１ｂ…ストッパ手段
１１ｃ…ゲート部ばね
１２…中心導体接触部
１２ａ…窪み部
１２ｂ…中心導体接触部可動機構
１２ｃ…中心導体接触部ばね
１３…外部導体接触部
４０…同軸ケーブル
５０…コネクタ（同軸ケーブル側）
５１…中心導体
５２…外部導体
６０…コネクタ（測定器側）
１００…測定器
【要約】
【課題】
中心導体と外部導体の間に帯電した静電気を完全に放電させることができる測定器保護装置および測定器保護方法を提供する。
【解決手段】
中心導体接触部１３は、同軸ケーブルのコネクタ５０をゲート部１１に当接させるときに、外部導体５２と外部導体接触部１３との接触よりも先に中心導体５１が中心導体接触部１３と接触するように形成されているとともに、中心導体５１が接触する圧力により同軸ケーブルのコネクタ５０の進行方向に押下されるように形成され、ゲート部１１は、中心導体接触部１３が押下された後に、中心導体５１と中心導体接触部１３との接触を維持しながら外部導体５２と外部導体接触部１３とが接触するように形成され、同軸ケーブルのコネクタ５０の進行に伴う圧力によってゲート部１１を回動させる。
【選択図】図１【図１】
0005851567.tif 000002
【図２】
0005851567.tif 000003
【図３】
0005851567.tif 000004
【図４】
0005851567.tif 000005
【図５】
0005851567.tif 000006